(57)【要約】【課題】狭い洋室でも違和感なく設置することができ、祭壇に礼拝するときだけでなく、日常においても映像を視聴することができる祭壇を備えた家具を提供する。【解決手段】家具の家具本体１ａは、前部が開口２ａした箱体２と、箱体２に収容された仏壇３と、箱体２の開口２ａを閉鎖する位置と仏壇３を露出させる位置との間をスライドする、映像を表示するための表示部４とを備えている。普段は表示部４により仏壇３が隠れ、礼拝するときに表示部４をスライドして現れた仏壇３に向かって礼拝することができるため、狭い洋室でも違和感なく設置することができる。【選択図】図１
2019084151.tif 000002
【特許請求の範囲】
【請求項１】
前部が開口した箱体と、
前記箱体に収容された祭壇と、
前記箱体の前部に設けられ、前記箱体の開口を閉鎖する位置と前記祭壇を露出させる位置との間をスライドする、映像を表示するための表示部とを備えた家具本体を有する祭壇を備えた家具。
【請求項２】
前記表示部がスライドして前記祭壇を露出させ、前記箱体の開口を開放状態としたときに、前記表示部に第１の映像を表示させ、前記表示部が復帰して前記箱体の開口を閉鎖状態としたときに、前記表示部に第２の映像を表示させる映像制御装置を備えた請求項１記載の祭壇を備えた家具。
【請求項３】
前記映像制御装置は、前記第１の映像および前記第２の映像を格納する記憶部と、前記記憶部から前記第１の映像を読み出し、前記表示部に表示させるときに、撮影日が過去の同月、同週または同日の前記第１の映像を選択して前記表示部に向けて配信する映像配信部とを備えた請求項２記載の祭壇を備えた家具。
【請求項４】
前記家具本体と電気通信回線を通じて通信することで、前記表示部のスライドが所定期間検出できなかったときに、見守り者である登録者へ通報する安否確認処理部を備えた請求項１から３のいずれかの項に記載の祭壇を備えた家具。
【発明の詳細な説明】
【技術分野】
【０００１】
本発明は、戸建住宅や集合住宅、各種の施設に、仏壇や神棚などの祭壇を設置するための祭壇を備えた家具に関するものである。
【背景技術】
【０００２】
親子三世代が同居していた大きな家の各家庭には、祭壇の一種である仏壇があり、仏壇に向かって正座して手を合わせ光景が日常的に見られた。しかし、核家族化が進み、住まいは郊外の戸建から市街地のマンションに変わり、和室から洋室、インテリアが洋風化した。このような変化に伴い、仏間を確保することが難しく、洋室に仏壇を配置してもフローリングの居室では仏壇は馴染み難い。
【０００３】
一方、仏壇と映像装置とを組み合わせたものが提案されている。
例えば、特許文献１に記載の仏壇形納骨壇は、一方側に臨んで開口した開口部を有して略箱状に形成された納骨部と、仏壇箱体の観音開き扉を開放すると、仏壇箱体内部に安置された仏像や、故人の生前の映像および音声から成る生前情報を表示する液晶ディスプレイが現れる仏壇部とを備えたものである。
【０００４】
また、特許文献２に記載の仏壇付きシステム家具は、引出しが収容できる棚を有する収容部と映像機器が挿入される収納部とに併設されるように、仏壇収容部が設けられていることで、仏壇を居間等に違和感なく設置できるようにしたものである。
【先行技術文献】
【特許文献】
【０００５】
【特許文献１】特開２００３−７９５０８号公報
【特許文献２】特開平１０−２９０７４４号公報
【発明の概要】
【発明が解決しようとする課題】
【０００６】
しかし、特許文献１に記載の仏壇形納骨壇では、礼拝するときに、観音開き扉を開放することで、故人の生前の映像を液晶ディスプレイにて視聴できるものの、仏壇箱体の観音開き扉が閉鎖された状態では、外観が仏壇そのものであり、やはり、洋室には馴染み難い。また、特許文献１に記載の仏壇形納骨壇では、観音開き扉を開放しなければ、液晶ディスプレイに表示された映像を視聴することができない。
また、特許文献２に記載の仏壇付きシステム家具では、システム家具の一部として仏壇が設けられており、それとは別に、映像機器が収納部に設置されるため、狭い居室では設置が困難である。
【０００７】
そこで本発明は、狭い洋室でも違和感なく設置することができ、祭壇に礼拝するときだけでなく、日常においても映像を視聴することができる祭壇を備えた家具を提供することを目的とする。
【課題を解決するための手段】
【０００８】
本発明の祭壇を備えた家具は、前部が開口した箱体と、前記箱体に収容された祭壇と、前記箱体の前部に設けられ、前記箱体の開口を閉鎖する位置と前記祭壇を露出させる位置との間をスライドする、映像を表示するための表示部とを備えた家具本体を有することを特徴とする。
【０００９】
本発明の祭壇を備えた家具によれば、前部に開口が設けられた箱体に祭壇が収容され、箱体の前部に設けられ、映像を表示する表示部が、箱体の開口を閉鎖する位置と、祭壇を露出させる位置との間をスライドする。そのため、普段は表示部により祭壇を隠しておけばインテリアとして見ることができ、礼拝するときに表示部をスライドして開口を開放状態とすれば、現れた祭壇に向かって礼拝することができる。
【００１０】
前記表示部がスライドして前記祭壇を露出させ、前記箱体の開口を開放状態としたときに、前記表示部に第１の映像を表示させ、前記表示部が復帰して前記箱体の開口を閉鎖状態としたときに、前記表示部に第２の映像を表示させる映像制御装置を備えたものとすることができる。
映像制御装置により、表示部がスライドして、箱体の開口が開放状態となり、祭壇を露出させたときに、表示部に第１の映像を表示させ、表示部が復帰して箱体の開口を閉鎖状態としたときに、表示部に第２の映像を表示させることができる。そのため、第１の映像として故人本人や故人の家族に関係する映像を配信し、第２の映像として環境映像を配信することで、表示部が開放状態では祭壇を礼拝しながら故人を偲ぶことができ、表示部が閉鎖状態では家具本体をインテリアとして観察することができる。
【００１１】
前記映像制御装置は、前記第１の映像および前記第２の映像を格納する記憶部と、前記記憶部から前記第１の映像を読み出し、前記表示部に表示させるときに、撮影日が過去の同月、同週または同日の前記第１の映像を選択して前記表示部に向けて配信する映像配信部とを備えたものとすることができる。
今日と同じ月、同じ週または同じ日の過去の出来事を視聴することで、同じ季節感を味わったり、同じ時期の心境を思い出したりすることができるので、より深く思い出に浸ることができる。
【００１２】
前記家具本体と電気通信回線を通じて通信することで、前記表示部のスライドが所定期間検出できなかったときに、見守り者である登録者へ通報する安否確認処理部を備えたものとすることができる。
電気通信回線を通じて通信された表示部のスライドが所定期間なかったときに、安否確認処理部が見守り者である登録者に通報することで、使用者の安否確認を行うことができる。
【発明の効果】
【００１３】
本発明の家具は、普段は表示部により祭壇が隠れ、礼拝するときに表示部をスライドして現れた祭壇に向かって礼拝することができるため、狭い洋室でも違和感なく設置することができ、祭壇に礼拝するときだけでなく、日常においても映像を視聴することができる。
【図面の簡単な説明】
【００１４】
【図１】本発明の実施の形態に係る家具の構成を説明するための図である。
【図２】図１に示す家具の家具本体を説明するための図であり、（Ａ）は表示部の閉鎖状態を示す図、（Ｂ）は表示部の開放状態を示す図である。
【図３】図２に示す家具本体の駆動部を説明するための図であり，（Ａ）は駆動部の平面図、（Ｂ）は駆動部と表示部の一部の正面図、（Ｃ）は駆動部の左側面図である。
【図４】図２に示す家具本体の構成を説明するための図である。
【図５】図１に示す家具のスマートフォンの構成を説明するための図である。
【図６】図１に示す家具の管理サーバの構成を説明するための図である。
【図７】図５に示すスマートフォンの表示部に表示される操作画面の一例の図であり、（Ａ）は操作ページの一例を示す図、（Ｂ）は第１登録ページの一例を示す図、（Ｃ）は第２登録ページの一例を示す図、（Ｄ）は第３登録ページの一例を示す図、（Ｅ）は個人情報登録ページの一例を示す図である。
【図８】図５に示すスマートフォンの表示部に表示される操作画面の一例の図であり、（Ａ）は第２登録ページの一例を示す図、（Ｂ）はイベント登録ページの一例を示す図である。
【図９】図５に示すスマートフォンの表示部に表示される操作画面の一例の図であり、（Ａ）は第２登録ページの一例を示す図、（Ｂ）は対象者選択ページの一例を示す図、（Ｃ）はカレンダーページの一例を示す図である。
【図１０】図５に示すスマートフォンの表示部に表示される操作画面の一例の図であり、（Ａ）は第１登録ページの一例を示す図、（Ｂ）はカテゴリ選択ページの一例を示す図、（Ｃ）は視聴順位設定ページの一例を示す図である。
【発明を実施するための形態】
【００１５】
本発明の実施の形態に係る祭壇を備えた家具について、祭壇として仏壇を例に、図面に基づいて説明する。
本実施の形態に係る家具は、マンションやアパートなどの集合住宅向けとして開発されたものである。図１に示すように、家具１は、居室に設置される家具本体１ａと、家具本体１ａを操作する携帯端末の一例であるスマートフォン１０および家具本体１ａに映像を配信する管理サーバ２０とを備えている。
【００１６】
図２に示す家具本体１ａは、前部に開口２ａが設けられた木製の箱体２と、箱体２に収容された仏壇３と、箱体２の開口２ａに配置された表示部４とを備えている。
箱体２は、外形が直方体状に形成されている。
仏壇３は、箱体２内の奥壁に配置されている。仏壇３には、図示しない仏像や、仏像の絵が描かれた掛け軸、香炉、おりんなどが設置される。
【００１７】
表示部４は、例えば、映像を表示する大型の液晶ディスプレイとすることができる。液晶ディスプレイは、仏壇３の大きさに合わせて、サイズを決定することができるが、例えば、ディスプレイのサイズを、２０型としたり、３７形としたりすることができる。
表示部４は、箱体２の前部に設けられ、箱体２の開口２ａを閉鎖する位置と、仏壇３を露出させる位置にスライドする。本実施の形態では、箱体２の開口２ａの上枠と下枠５ｇ（図３（Ｃ）参照）とに設けられたレールに沿って、表示部４を、箱体２に対して左右方向にスライドさせている。
【００１８】
表示部４は、図３に示す駆動部５により左右方向へスライドする。駆動部５は、図２（Ａ）および同図（Ｂ）に示す箱体２の台座部２ｂに内蔵されている。
図３に示すように、駆動部５は、駆動源となる電動機５ａと、電動機５ａの回転軸に設けられた駆動プーリー５ｂと、駆動プーリー５ｂに巻かれた無端ベルト５ｃと、無端ベルト５ｃの周回により回転する従動プーリー５ｄと、従動プーリー５ｄと同軸であり、円周面に螺旋溝５ｅが形成され、箱体２（図１参照）の左右方向に沿って配置された棒状体５ｆとを備えている。
螺旋溝５ｅには、表示部４の下端から列状に並ぶ突出した突起部４ａが嵌合している。
【００１９】
図４に示すように、家具本体１ａは、上述した表示部４および駆動部５の他に、位置センサ部６と、制御部７と、通信部８とを備えている。
位置センサ部６は、箱体２の蓋部となる表示部４の位置が、箱体２の開口２ａを閉鎖する位置か、または仏壇３を露出させる位置かを検出するものである。
制御部７は、通信部８を介して受信した映像を表示部４に出力する。また、制御部７は、通信部８を介して受信した表示部４のスライド指示に基づいて駆動部５へ指示する。
通信部８は、スマートフォン１０との通信を行う。通信部８は、例えば、ＷｉＦｉ（登録商標）やＢＬＵＥＴＯＯＴＨ（登録商標）により通信することができる。
【００２０】
スマートフォン１０は、家具本体１ａの通信部８と近距離通信すると共に、中継局Ｒ（図１参照）を通じて、電気通信回線の一例であるインターネットＷと遠距離通信する機能を備えている。スマートフォン１０は、インターネットＷを介して運営会社に設置された管理サーバ２０と通信する。
【００２１】
図５に示すスマートフォン１０は、近距離用通信部１１と、遠距離用通信部１２と、表示部１３と、操作部１４と、制御部１５と、記憶部１６とを備えている。
なお、図６においては、家具本体１ａおよび管理サーバ２０と通信するための主要部のみを図示しており、電話機能などは図示していない。
【００２２】
近距離用通信部１１は、家具本体１ａの通信部８と通信する。遠距離用通信部１２は、中継局Ｒと通信する。例えば、遠距離用通信部１２は、ＬＴＥにより通信することができる。
表示部１３は、制御部１５からの表示データを表示する液晶ディスプレイである。操作部１４は、操作された情報を制御部１５へ出力する。操作部１４は、表示部１３の表示面に配置されたタッチパネルとすることができる。
【００２３】
制御部１５は、記憶部１６に格納されたプログラムを実行する。制御部１５は、サーバアクセス部１５ａと、映像配信部１５ｂと、通知部１５ｃとを備えている。
サーバアクセス部１５ａは、遠距離用通信部１２を介して、管理サーバ２０を示すインターネットＷ上のアドレスを指定して、管理サーバ２０にアクセスする閲覧ソフトとすることができる。
映像配信部１５ｂは、管理サーバ２０からの映像を、遠距離用通信部１２を介して受信すると、近距離用通信部１１を介して家具本体１ａへ送信する。
通知部１５ｃは、管理サーバ２０から家具本体１ａへの指示などを通知する。
記憶部１６は、各種のプログラムと、各種の登録データとが格納されている。
【００２４】
図６に示す管理サーバ２０は、故人、その家族に関する情報、法話、説教、講話などが蓄積され、家具本体１ａ（図１参照）に向けて配信するサーバである。
管理サーバ２０は、通信部２１と、ページ処理部２２と、開閉指示部２３と、情報登録部２４と、カレンダー処理部２５と、情報配信部２６と、安否確認処理部２７と、記憶部２８と備えている。
【００２５】
通信部２１は、管理サーバ２０の各部からの情報を入力してインターネットＷへ送信したり、インターネットＷからの情報を受信して各部へ出力したりするＬＡＮとすることができる。
ページ処理部２２は、各種情報を登録するためのページを記憶部２８から読み込み、スマートフォン１０へ送信する。
開閉指示部２３は、家具本体１ａの表示部４の開閉を指示する。
情報登録部２４は、登録用ページに入力された情報に基づいて記憶部２８に格納する。
カレンダー処理部２５は、年月日ごとに登録されたメッセージを記憶部２８に格納して管理する。
情報配信部２６は、指定された映像を記憶部２８から読み込み、要求元へ配信する。
安否確認処理部２７は、図２に示す家具本体１ａの表示部４の開閉が所定期間行われなかったときに、記憶部２８に登録された連絡先に、電子メールなどで通知する。
記憶部２８は、各種の情報を格納する不揮発性メモリである。記憶部２８は、ハードディスクドライブとすることができる。
【００２６】
以上のように構成された本発明の実施の形態に係る家具の動作および使用状態について図面に基づいて説明する。
まず、使用者は、管理サーバ２０にアクセスして、各種の登録を行う。
【００２７】
この登録は、使用者が図５に示すスマートフォン１０を操作して閲覧ソフトを起動することで、サーバアクセス部１５ａにより管理サーバ２０をアクセスする。
図６に示す管理サーバ２０では、ページ処理部２２が、家具本体１ａの表示部４（図２参照）の開閉および各種の登録を行うための操作ページを、記憶部２８から読み込み、通信部２１を介して、スマートフォン１０へ送信する。
【００２８】
図５に示すスマートフォン１０では、遠距離用通信部１２を介してサーバアクセス部１５ａが操作ページを受信すると、表示部１３に操作ページを表示する。
図７（Ａ）に示す操作ページＰ１では、表示部４を開くことを示す「開／ファミリー」と表記された開放ボタンＢ１１と、表示部４を閉じることを示す「閉／インテリア」と表記された閉鎖ボタンＢ１２とが表示されている。
図２に示すように、表示部４が開いた状態では、仏壇３が現れるので、故人や故人の家族についての登録や視聴に関するメニューとなる。また、表示部４が閉じた状態では、外観からは表示部４しか見えないため、家具本体１ａは、その他の家具と同様に、インテリアとして扱うことができる。
【００２９】
従って、故人やその家族について登録をする場合には、図７（Ａ）に示す操作ページＰ１にて開放ボタンＢ１１を押下する。
そうすると、開放ボタンＢ１１の押下が、図５に示すスマートフォン１０のサーバアクセス部１５ａから管理サーバ２０へ開放ボタンＢ１１が押下された旨の通知が送信される。
図６に示す管理サーバ２０では、開放ボタンＢ１１が押下されたことを受信すると、開閉指示部２３が表示部４の開放の指示（以下、表示部４の開放の指示を「オープン要求」と称する。）をスマートフォン１０へ通信部２１を介して通知する。
【００３０】
図５に示すスマートフォン１０では、遠距離用通信部１２を介してオープン要求を受信すると、通知部１５ｃは、このオープン要求を、近距離用通信部１１を介して家具本体１ａへ送信する。
図４に示す家具本体１ａでは、通信部８を介してオープン要求を受信すると、制御部７は駆動部５を動作させて表示部４をスライドさせ開放させる。
【００３１】
図３に示す駆動部５では、電動機５ａを正転に駆動させ、駆動プーリー５ｂを回転させることで、無端ベルト５ｃを介して従動プーリー５ｄに回転が伝達される。
従動プーリー５ｄが回転することにより同軸の棒状体５ｆが回転する。従って、螺旋溝５ｅに沿って表示部４の突起部４ａが左右方向に移動するため、表示部４はスライドして開放状態となる。
図４に示す制御部７は、表示部４が仏壇３を露出させる位置を、位置センサ部６が検出するまで駆動部５を動作させる。
このようにして、図２に示す表示部４がスライドして仏壇３が収容された箱体２を開いた状態となる。
【００３２】
図７（Ａ）に示す操作ページＰ１にて、開放ボタンＢ１１が押下されることで、管理サーバ２０では、上述したように表示部４のスライドが指示されて開き、仏壇３が現れると共に、ページ処理部２２が第１登録ページをスマートフォン１０へ送信する。
【００３３】
図５に示すスマートフォン１０では、第１登録ページを受信すると、サーバアクセス部１５ａが表示部１３に表示する。
図７（Ｂ）に示す第１登録ページＰ２には、故人や家族に関する情報の登録を行う「設定」ボタンＢ２１と、映像の視聴に関する登録を行う「視聴」ボタンＢ２２と、第１の映像となるファイルの登録を行う「保存」ボタンＢ２３とが表示されている。
【００３４】
使用者が、図５に示すスマートフォン１０の操作部１４を操作して、例えば、図７（Ｂ）に示す「設定」ボタンＢ２１を押下すると、第１登録ページＰ２を表示させたときと同様に、管理サーバ２０から第２登録ページが送信され、スマートフォン１０に表示される。
図７（Ｃ）に示す第２登録ページＰ３では、故人や家族の氏名や生年月日などの登録を行うための「登録」ボタンＢ３１と、家族のスケジュールを登録するための「スケジュール」ボタンＢ３２と、行事を登録するための「イベント」ボタンＢ３３と、「その他」ボタンＢ３４とが表示されている。
【００３５】
使用者が、例えば、「登録」ボタンＢ３１を押下すると、管理サーバ２０から第３登録ページが送信され、スマートフォン１０に表示される。
図７（Ｄ）に示す第３登録ページＰ４では、故人の情報の登録を選択する「本人」ボタンＢ４１と、その家族の情報の登録を選択する「家系図」ボタンＢ４２とが表示されている。使用者が、例えば、「本人」ボタンＢ４１を押下すると、管理サーバ２０から個人情報登録ページが送信され、スマートフォン１０に表示される。
【００３６】
図７（Ｅ）に示す個人情報登録ページＰ５では、氏（名字）を入力するための氏入力欄Ｒ５１と、名（名前）を入力するための名入力欄Ｒ５２と、生年月日を入力するための誕生日入力欄Ｒ５３と、性別を入力するための性別入力欄Ｒ５４と、登録を指示するための「登録」ボタンＢ５１が表示されている。
使用者が、故人の氏名を氏入力欄Ｒ５１および名入力欄Ｒ５２に、生年月日を誕生日入力欄Ｒ５３に、性別を性別入力欄Ｒ５４に入力して、「登録」ボタンＢ５１を押下することで、各入力欄の情報が、本人情報として、スマートフォン１０から管理サーバ２０へ送信される。
【００３７】
図６に示す管理サーバ２０では、情報登録部２４が、記憶部２８に、氏入力欄Ｒ５１および名入力欄Ｒ５２に入力された氏名に基づいて本人フォルダを作成する。
そして、情報登録部２４が、本人フォルダ配下に、誕生日入力欄Ｒ５３および性別入力欄Ｒ５４に入力された情報を格納する。
【００３８】
図７（Ｄ）に示す第３登録ページＰ４にて「家系図」ボタンＢ４２を押下した場合には、家族の個人情報を登録するためのページ（図示せず）が表示され、登録することで、管理サーバ２０の記憶部２８に、本人を中心とした家系のような階層化されたフォルダが作成され、各フォルダ配下に個人情報が格納される。
【００３９】
次に、図７（Ｃ）に示す第２登録ページＰ３にて、図８（Ａ）に示すように、「イベント」ボタンＢ３３を押下した場合には、行事での思い出の映像（第１の映像）を登録するためのイベント登録ページが管理サーバ２０から送信され、スマートフォン１０に表示される。
【００４０】
図８（Ｂ）に示すように、イベント登録ページＰ６には、「運動会」ボタンＢ６１と、「誕生日」ボタンＢ６２と、「旅行」ボタンＢ６３と、「記念日」ボタンＢ６４とが表示されている。
使用者が、「運動会」ボタンＢ６１と、「誕生日」ボタンＢ６２、「旅行」ボタンＢ６３または「記念日」ボタンＢ６４のいずれかを押下すると、ボタンを押下した旨の通知がスマートフォン１０から管理サーバ２０へ送信される。
図６に示す管理サーバ２０では、情報登録部２４が、記憶部２８に、「運動会」、「誕生日」、「旅行」または「記念日」のいずれかに対応するイベントのフォルダを作成する。
【００４１】
そして、映像を登録するときには、図７（Ｂ）に示す第１登録ページＰ２に表示された「保存」ボタンＢ２３を押下する。
「保存」ボタンＢ２３が押下されたことにより、管理サーバ２０から、映像登録のためのページが送信され、スマートフォン１０に表示される。
映像登録ページ（図示せず）は、図７（Ｅ）に示す個人情報登録ページＰ５での登録により作成されたフォルダや、図７（Ｄ）に示す第３登録ページＰ４にて「家系図」ボタンＢ４２を押下して作成された本人を中心とした家系のような階層化されたフォルダ、図８（Ｂ）に示すイベント登録ページＰ６での登録により作成されたフォルダが参照できる。
そして、目的のフォルダへ、スマートフォン１０の記憶部１６に格納された映像を、サーバアクセス部１５ａにより、アップロードすることで、第１の映像の登録を行うことができる。
【００４２】
図７（Ｃ）に示す第２登録ページＰ３にて、図９（Ａ）に示すように、「スケジュール」ボタンＢ３２が押下されると、対象者選択ページが管理サーバ２０から送信され、スマートフォン１０に表示される。
図９（Ｂ）に示す対象者選択ページＰ７では、本人のスケジュールを管理するための「本人」ボタンＢ７１と、家族のスケジュールを管理するための「家族」ボタンＢ７２とが表示されている。
使用者が、例えば、「本人」ボタンＢ７１を押下すると、カレンダーページが管理サーバ２０から送信され、スマートフォン１０に表示される。
図９（Ｃ）に示すカレンダーページＰ８では、１ヵ月分のカレンダーが表示されており、日付に対応させてメッセージや第１の映像が登録できる。
【００４３】
次に、図２に示す家具本体１ａの表示部４がスライドして仏壇３を露出させ、箱体２の開口２ａを開放状態としたときに、表示部４に表示される第１の映像の再生について説明する。
図７（Ｂ）に示す第１登録ページＰ２にて、図１０（Ａ）に示すように、「視聴」ボタンＢ２２が押下されると、カテゴリ選択ページが管理サーバ２０から送信され、スマートフォン１０に表示される。
【００４４】
図１０（Ｂ）に示すカテゴリ選択ページＰ９では、仏壇の映像が再生される「仏壇」ボタンＢ９１と、本人や家族のプロフィールが再生される「プロフィール」ボタンＢ９２と、各フォルダに登録された映像が再生される「アルバム」ボタンＢ９３と、メッセージが再生される「メッセージ」ボタンＢ９４とが表示される。
【００４５】
使用者が、「アルバム」ボタンＢ９３を押下すると、視聴順位設定ページが管理サーバ２０から送信され、スマートフォン１０に表示される。
図１０（Ｃ）に示す視聴順位設定ページＰ１０では、撮影日に基づいて再生される「自動」ボタンＢ１０１と、イベントを指定して再生する「イベント」ボタンＢ１０２と、日、週または月を指定する「日／週／月」ボタンＢ１０３とが表示されている。
【００４６】
使用者は、この視聴順位設定ページＰ１０にて、例えば、「自動」ボタンＢ１０１を押下したとする。そうすると、「自動」ボタンＢ１０１が押下された旨の通知が、スマートフォン１０から管理サーバ２０へ送信される。
図６に示す管理サーバ２０では、情報登録部２４が、自動モードで映像を配信することを、記憶部２８に格納する。
【００４７】
自動モードにより映像の配信では、情報配信部２６が、記憶部２８から、アトランダムに映像を読み込み、通信部２１を介して、配信の要求元であるスマートフォン１０へ送信する。
図５に示す１０では、遠距離用通信部１２を介して映像を受信すると、映像配信部１５ｂは、記憶部１６に映像をバッファリングしながら、近距離用通信部１１を介して家具本体１ａに配信する。
図４に示す家具本体１ａでは、通信部８を介して配信された映像を受信すると、制御部７は、表示部４に映像を表示する。
【００４８】
図１０（Ｃ）に示す視聴順位設定ページＰ１０にて、例えば、「イベント」ボタンＢ１０２が押下されると、次のページにて、図８（Ｂ）に表示されたイベントの種類が選択できる。
図６に示す管理サーバ２０では、情報登録部２４が、イベントモードで映像を配信することと、再生されるイベントの種類とを、記憶部２８に格納する。
そして、情報配信部２６は、再生されるイベントの種類に基づいて、図８（Ｂ）に示すイベント登録ページＰ６にて作成されたフォルダから登録された映像を記憶部２８から読み出し、スマートフォン１０を介して家具本体１ａに順次配信する。
【００４９】
更に、図１０（Ｃ）に示す視聴順位設定ページＰ１０にて、例えば、「日／週／月」ボタンＢ１０３が押下されると、使用者は、次のページで、日、週または月を選択する。
図６に示す管理サーバ２０では、情報登録部２４が、日付モードで映像を配信することを、記憶部２８に格納する。
そして、情報配信部２６は、撮影日が過去の同日、同週または同月の第１の映像を記憶部２８から選択して、スマートフォン１０を介して家具本体１ａに順次配信する。
撮影日は、例えば、第１の映像のタイムスタンプにより判定することができる。
【００５０】
次に、表示部４の閉鎖操作について説明する。
例えば、表示部４が開いた状態（開放状態）で、図７（Ａ）に示す操作ページＰ１にて閉鎖ボタンＢ１２が押下されると、開放ボタンＢ１１が押下されたときと同様に、図５に示すスマートフォン１０のサーバアクセス部１５ａから管理サーバ２０へ閉鎖ボタンＢ１２が押下された旨の通知が送信される。
図６に示す管理サーバ２０では、開閉指示部２３が表示部４の閉鎖の指示（以下、表示部４の閉鎖の指示を「クローズ要求」と称する。）をスマートフォン１０へ通知する。
図５に示すスマートフォン１０では、通知部１５ｃがクローズ要求を家具本体１ａへ送信する。図４に示す家具本体１ａでは、制御部７が駆動部５に表示部４の閉鎖を指示する。この閉鎖は、図３に示す駆動部５の電動機５ａを逆転させることで、表示部４を閉鎖させることができる。
【００５１】
表示部４が閉鎖状態にあるときは、図５に示す管理サーバ２０は、情報配信部２６が、記憶部２８に登録された山や海の風景や、熱帯魚が泳ぐ水中の映像などの環境映像を第２の映像として、第１の映像の配信と同様に、スマートフォン１０を介して、家具本体１ａへ配信する。
【００５２】
このように、家具１では、前部に開口２ａが設けられた箱体２に仏壇３が収容され、映像を表示する表示部４が箱体２の開口２ａを閉鎖する位置と、仏壇３を露出させる位置との間をスライドする。そのため、普段は表示部４により仏壇３を隠しておき、礼拝するときに表示部４をスライドさせればよい。従って、家具１は、狭い洋室でも違和感なく設置することでき、祭壇に礼拝するときだけでなく、日常においても映像を視聴することができる。
【００５３】
また、映像制御装置として機能する、スマートフォン１０および管理サーバ２０により、表示部４がスライドして箱体２の開口２ａが開放状態となり、仏壇３を露出させたときに、表示部４に第１の映像を表示させ、表示部４が復帰して箱体２の開口２ａを閉鎖状態としたときに、表示部４に第２の映像を表示させている。そのため、第１の映像として故人本人や故人の家族に関係する映像を配信し、第２の映像として環境映像を配信することで、表示部４が開放状態では仏壇３を礼拝しながら故人を偲ぶことができ、表示部４が閉鎖状態では家具１（家具本体１ａ）をインテリアとして観察することができる。
【００５４】
管理サーバ２０の情報配信部２６は、第１の映像を記憶部２８から読み出し、家具本体１ａの表示部４に表示させるときに、撮影日が過去の同月、同週または同日の第１の映像を選択して表示部４に向けて配信している。従って、今日と同じ月、同じ週または同じ日の過去の出来事を視聴することで、同じ季節感を味わったり、同じ時期の心境を思い出したりすることができるので、より深く思い出に浸ることができる。
【００５５】
本実施の形態では、スマートフォン１０により操作することで、インターネットＷを介して管理サーバ２０により映像を配信していたが、スマートフォン１０の機能と、管理サーバ２０の機能とを、無線通信やインターネットＷへのアクセスを省略して、家具本体１ａに含むようにしてもよい。
【００５６】
次に、図５に示す管理サーバ２０の安否確認処理部２７の機能について説明する。
使用者が老齢者で、一人暮らしである場合には、不慮の事故などにより倒れてしまったときなどには、同居者がいないため、老齢者に対して適切な処置を行うことができない。
【００５７】
一方、スマートフォン１０からのオープン要求またはクローズ要求があると、使用者が、スマートフォン１０により家具本体１ａを操作しようとしており、使用者が元気な状態で仏壇３（図２参照）に礼拝していることが、管理サーバ２０側で把握できる。
【００５８】
そこで、スマートフォン１０からインターネットＷを通じて通信されたオープン要求またはクローズ要求による表示部４のスライドが所定期間なかったときに、安否確認処理部２７が記憶部２８に格納された見守り者である登録者に通報する。そうすることで、使用者の安否確認を行うことができる。
登録者への通知は、安否確認処理部２７が、登録者に電子メールにより通報したり、インターネットＷを介して電話による音声で通報したりすることができる。
見守り者である登録者は、使用者の家族とする以外に、医師や看護師などの医療関係者や、ケアマネジャーやヘルパーなどの介護施設関係者とすることができる。
【００５９】
所定期間は、使用者の生活状況に応じて変更することができる。例えば、朝夕に礼拝を行う使用者であれば、１２時間より大きい時間とすることができる。また、１日に１回の礼拝を行う使用者であれば１日とすることができる。
【００６０】
このように、安否確認処理部２７が、使用者の生活に密着した仏壇３への礼拝が行われなかったことを契機に、使用者の異常を通報するので、確実に、使用者の安否の異常を検出することができる。
【００６１】
なお、本実施の形態では、祭壇として図２に示す仏壇３を例に説明したが、祭壇は神棚であってもよい。また、キリスト教式や他の宗教の様式に沿った祭壇であってもよい。
【産業上の利用可能性】
【００６２】
本発明の家具は、戸建住宅や集合住宅、各種の施設への設置に好適であり、特に、マンションへの設置に最適である。
【符号の説明】
【００６３】
１  家具
１ａ  家具本体
２  箱体
２ａ  開口
２ｂ  台座部
３  仏壇
４  表示部
４ａ  突起部
５  駆動部
５ａ  電動機
５ｂ  駆動プーリー
５ｃ  無端ベルト
５ｄ  従動プーリー
５ｅ  螺旋溝
５ｆ  棒状体
５ｇ  下枠
６  位置センサ部
７  制御部
８  通信部
１０  スマートフォン
１１  近距離用通信部
１２  遠距離用通信部
１３  表示部
１４  操作部
１５  制御部
１５ａ  サーバアクセス部
１５ｂ  映像配信部
１５ｃ  通知部
１６  記憶部
２０  管理サーバ
２１  通信部
２２  ページ処理部
２３  開閉指示部
２４  情報登録部
２５  カレンダー処理部
２６  情報配信部
２７  安否確認処理部
２８  記憶部
Ｒ  中継局
Ｗ  インターネット
Ｐ１  操作ページ
Ｂ１１  開放ボタン
Ｂ１２  閉鎖ボタン
Ｐ２  第１登録ページ
Ｂ２１  「設定」ボタン
Ｂ２２  「視聴」ボタン
Ｂ２３  「保存」ボタン
Ｐ３  第２登録ページ
Ｂ３１  「登録」ボタン
Ｂ３２  「スケジュール」ボタン
Ｂ３３  「イベント」ボタン
Ｂ３４  「その他」ボタン
Ｐ４  第３登録ページ
Ｂ４１  「本人」ボタン
Ｂ４２  「家系図」ボタン
Ｐ５  個人情報登録ページ
Ｒ５１  氏入力欄
Ｒ５２  名入力欄
Ｒ５３  誕生日入力欄
Ｒ５４  性別入力欄
Ｂ５１  「登録」ボタン
Ｐ６  イベント登録ページ
Ｂ６１  「運動会」ボタン
Ｂ６２  「誕生日」ボタン
Ｂ６３  「旅行」ボタン
Ｂ６４  「記念日」ボタン
Ｐ７  対象者選択ページ
Ｂ７１  「本人」ボタン
Ｂ７２  「家族」ボタン
Ｐ８  カレンダーページ
Ｐ９  カテゴリ選択ページ
Ｂ９１  「仏壇」ボタン
Ｂ９２  「プロフィール」ボタン
Ｂ９３  「アルバム」ボタン
Ｂ９４  「メッセージ」ボタン
Ｐ１０  視聴順位設定ページ
Ｂ１０１  「自動」ボタン
Ｂ１０２  「イベント」ボタン
Ｂ１０３  「日／週／月」ボタン
【図１】
2019084151.tif 000003
【図２】
2019084151.tif 000004
【図３】
2019084151.tif 000005
【図４】
2019084151.tif 000006
【図５】
2019084151.tif 000007
【図６】
2019084151.tif 000008
【図７】
2019084151.tif 000009
【図８】
2019084151.tif 000010
【図９】
2019084151.tif 000011
【図１０】
2019084151.tif 000012